(57)【特許請求の範囲】
【請求項１】
商品販売データを表示するオペレータ用表示器と客用表示器とを有する商品販売データ処理装置において、
外部から配信されて来た商品のコマーシャルを形成する複数の画像データと切換表示手順データとを記憶可能であるとともに、記憶されている複数の画像データおよび切換表示手順データに基づき各画像を前記オペレータ用表示器および客用表示器のいずれか一方に切換表示可能かつその他方に当該画像を同期切換表示可能に形成され、前記画像データが動画像データと静止画像データとから形成され、前記客用表示器に動画像データに対応する動画像を切換表示可能かつ前記オペレータ用表示器に静止画像データに対応する静止画像を前記客用表示器に切換表示されている当該動画像に同期させて切換表示可能に形成されている商品販売データ処理装置。
【請求項２】
前記動画像データおよび静止画像データを別個のファイルに記憶可能に形成されている請求項１記載の商品販売データ処理装置。
【請求項３】
前記静止画像が当該動画像中に含まれる部分画像のダイジェストとされている請求項１または請求項２記載の商品販売データ処理装置。
【発明の詳細な説明】
【０００１】
【発明の属する技術分野】
本発明は、商品販売データを表示するオペレータ用表示器と客用表示器とを有し、外部から配信されて来た画像データに対応する動画像を表示可能な商品販売データ処理装置に関する。
【０００２】
【従来の技術】
例えば電子キャッシュレジスタ型の商品販売データ処理装置では、オペレータ（キャッシャー）がデータ入力手段（スキャナ，キーボード等）を用いて商品コードを入力すると、商品ファイルから商品販売データ（商品名，単価等）が求められ売上ファイルに登録（商品登録）される。当該客の購入品の全てについて商品登録した後に、１取引終了宣言としての締め操作をすると、商品販売データ（合計金額や釣銭額）の算出等を含む会計処理が実行される。その後に、ドロワが自動解放され金銭授受が行なわれ、釣銭がレシートとともに客に手渡される。かくして、複雑な商品販売業務を迅速かつ正確に行なえる。
【０００３】
かかる商品登録，会計処理中に商品販売データを表示器に表示して、オペレータおよび客の双方が目視確認可能である。表示器には、オペレータと客とに共通の１台から構成される場合と、オペレータ用表示器と客用表示器との２台から構成される場合がある。いずれの場合でも、商品販売データは、文字情報として表示される。
【０００４】
【発明が解決しようとする課題】
ところで、消費者に対するアピールの仕方次第でモノ（商品）の売行きが大きく左右される今日では、新聞折込広告等により不特定多数の一般消費者に商品をアピールする在来手法では、新規性が劣りかつ効果が低いとの指摘がある。また、テレビコマーシャルの場合は、アピール度が強く商品購入意欲を惹起せしめる効果が高いが、高価でありかつ放映時間の延長化は難しい。そこで、商品販売データ処理装置では、表示器の画面周辺部に文字情報（商品のコマーシャル）を表示させることが試みられているが、そのコマーシャルが見難くかつ固定的であるためにアピール度が低い。
【０００５】
かくして、客に鮮烈な商品のアピールを行なえる手法が模索されている。また、客に強烈なアピールを行なえかつオペレータ側から客にアピール中の商品の認識はもとより当該アピール商品についての積極的な説明や呼びかけができる手法が強く求められている。
【０００６】
本発明の目的は、商品に関する客へのアピール度を強化できかつ商品販売を促進できる商品販売データ処理装置を提供することにある。
【０００７】
【課題を解決するための手段】
請求項１の発明は、商品販売データを表示するオペレータ用表示器と客用表示器とを有する商品販売データ処理装置において、外部から配信されて来た商品のコマーシャルを形成する複数の画像データと切換表示手順データとを記憶可能であるとともに、記憶されている複数の画像データおよび切換表示手順データに基づき各画像を前記オペレータ用表示器および客用表示器のいずれか一方に切換表示可能かつその他方に当該画像を同期切換表示可能に形成され、前記画像データが動画像データと静止画像データとから形成され、前記客用表示器に動画像データに対応する動画像を切換表示可能かつ前記オペレータ用表示器に静止画像データに対応する静止画像を前記客用表示器に切換表示されている当該動画像に同期させて切換表示可能に形成されている商品販売データ処理装置である。
【０００８】
かかる発明では、外部（例えば、本部内のホストコンピュータ）から商品のコマーシャルを形成する複数の画像データと切換表示手順データとを受信すると、これらを例えばシーケンスファイル，画像データファイルに記憶する。そして、記憶された画像データ（例えば、動画像データ）を当該切換表示手順データに基づき例えば客用表示器に動画像として切換表示するとともに、記憶された画像データ（例えば、静止画像）を当該切換表示手順データに基づき客用表示器に切換表示されている動画像データに同期させてオペレータ用表示器に切換表示する。
【０００９】
すなわち、商品に関する複数の画像（例えば、商品Ａ，Ｂ，Ｃに関するアピール画像）を動画像または静止画像として切換え表示することができる。したがって、買物実績のある客に各商品コマーシャル等を客用表示器を介して対面表示できるから当該客へのアピール度を強化できる。
【００１０】
また、オペレータ用表示器には、客用表示器に表示されている各画像と等しく、必要によって縮小されたダイジェストとして動画像または静止画像が同期切換え表示される。したがって、オペレータは、客が現時点に見ている画像つまり商品に関するアピール内容を確実に認識することができるから、オペレータ側から当該客に当該商品について積極的に説明したり、客からの問いに迅速かつ正確に応答することができる。
【００１１】
しかも、画像データは外部から配信されて来るので、固定的でなく最新でかつタイムリーなコマーシャルを流す（表示）することができるから、客へのアピールをより大幅に強化できかつ当該商品の購入意欲を一段と惹起せしめることができるとともに、オペレータにおいても当該商品の説明を行ない易くかつ勧め易いので販売促進に極めて有効である。
【００１２】
また、客用表示器には各商品に関する情報が、例えばテレビコマーシャルの場合と同様な動画像として、切換表示される。また、オペレータ用表示器には、客用表示器に表示されている各動画像中に含まれかつその中から選択された１または２以上の各部分である静止画像が当該各動画像の切換表示の進行に伴い同期して切換表示される。
【００１３】
例えば、客用表示器に表示される１つの動画像が販売対象の商品Ａの調理法からそれを食するところまでの一連動画像である場合に、オペレータ用表示器に表示される静止画像は、当該商品Ａの代表的形態や一番美味そうに見える１または２以上の部分画像とされる。そして、各静止画像は、当該商品Ａの動画像の切換表示進行に対応させて同期して切換表示される。
【００１４】
したがって、さらに客に対する表示が動画像であるからアピール度をより強化でき、オペレータに対する表示は当該静止画像であるから一見して認識できるとともに、オペレータ用表示器への表示に関する制御部および切換表示装置の低容量化および表示制御負荷を軽減できる。
【００１５】
請求項２の発明は、前記動画像データおよび静止画像データを別個のファイルに記憶可能に形成されている商品販売データ処理装置である。
【００１６】
かかる発明では、動画像データおよび静止画像データは別異のファイルに記憶される。したがって、請求項１の発明の場合と同様な作用効果を奏することができることに加え、さらに客用表示器およびオペレータ用表示器に対する動画像および静止画像の切替表示制御が容易であるとともに、静止画像の当該動画像に対する同期性を簡単に維持することができる。
【００１７】
請求項３の発明は、前記静止画像が当該動画像中に含まれる部分画像のダイジェストとされている商品販売データ処理装置である。
【００１８】
かかる発明では、例えば動画像が商品（パン）の製造工程を表す一連画像である場合に、静止画像はパンが焼きあがった状態でもっとも食欲を注ぐ動画像中の一部画像でありかつ縮小されたダイジェストである。したがって、請求項２および請求項３の各発明の場合と同様な作用効果を奏することができることに加え、さらにオペレータ用表示器にはダイジェストが表示されるので、オペレータがそれを疲れなく正確に認識することができる。また、商品販売データの表示やオペレータの操作業務にも支障が生じない。
【００１９】
【発明の実施の形態】
以下、本発明の実施形態について図面を参照して説明する。本商品販売データ処理装置は、図１〜図６に示す如く、外部（８０，９０）から配信されて来た商品のコマーシャルを形成する複数の画像データと切換表示手順データとをシーケンスファイル４１Ｓおよび画像データファイル４１Ｇに記憶可能であるとともに、記憶されている複数の画像データおよび切換表示手順データに基づき各画像をオペレータ用表示器６１および客用表示器６５のいずれか一方（６５）に切換表示可能かつその他方（６１）に当該画像を同期切換表示可能に形成されている。
【００２０】
以下では、画像データを動画像データと静止画像データとから形成し、客用表示器６５に動画像データに対応する動画像を切換表示可能かつオペレータ用表示器６１に静止画像データに対応する静止画像を客用表示器６５に切換表示されている当該動画像に同期させて切換表示可能に形成した場合、並びに静止画像が当該動画像中に含まれる部分画像を縮小化したダイジェストとした場合について、説明する。
【００２１】
図１において、本商品販売データ処理装置は、電子キャッシュレジスタ１０から形成されている。この電子キャッシュレジスタ１０は、標準入力装置（キーボード４３）を含むパソコン２０に、外部入出力装置を接続してなる。外観を図５および図６に示す。
【００２２】
パソコン２０は、ＣＰＵ３１，ＲＯＭ３２，ＲＡＭ３３および時計回路等（図示省略）を含み制御部を構成するマザーボード３０に、ＨＤＤ（ハードディスク装置）４１，ＦＤＤ（フロッピーディスク装置）４２，上記キーボード４３，入出力ポート（Ｉ／Ｏ）４６・４７および外部（例えば、ストアコントローラ８０や、これの上位機たる本部ホストコンピュータ９０）とデータ通信回線網４５，（９１）を介してデータ通信するための通信用インターフェイス（Ｉ／Ｆ）４４等を接続してなる。
【００２３】
入出力ポート４６にはスキャナ（ＳＣＮ）７１およびその他の入力装置（カードリーダー等）７３が接続され、入出力ポート４７にはプリンタ（ＰＮＴ）７５およびその他の出力装置（自動開放型のドロワ，カードライター等）７６が接続されている。また、制御部（３０）には、各コントローラ（ＣＯＮＴ）を介して音声出力手段（スピーカー）７０，タッチパネル６２および６６が接続されている。
【００２４】
画像表示制御装置５０は、表示器６０を構成するオペレータ用表示器（ＦＩＵ）６１および客用表示器（ＢＩＵ）６５に商品販売データや画像データを表示切換制御する。また、オペレータ用表示器６１にタッチパネル６２が取り付けられ、客用表示器６５にタッチパネル６６が取り付けられている。
【００２５】
タッチパネル６２および６６は、各表示器６１，６５に例えば複数の商品選択ボタン（図示省略）を表示させ、表示された商品選択ボタンをオペレータや客がタッチ操作することにより、商品の選択入力等を可能とするために設けられている。
【００２６】
ＨＤＤ４１には、図２に示す切換表示手順データ（シーケンス）を記憶するためのシーケンスファイル４１Ｓと，動画像データを記憶させるための図３に示す記憶エリア（ファイル）４１ＧＢおよび静止画像を記憶させるための記憶エリア（ファイル）４１ＧＦを有する画像データファイル４１Ｇとが形成されている。
【００２７】
すなわち、シーケンスファイル４１Ｓには、切換表示手順データ記憶制御手段（ＣＰＵ３１，ＲＯＭ３２）によって、図２に示す切換表示手順（シーケンス番号：例えば、Ｓ００１，Ｓ００２，…），動画像データ番号（例えば、Ｄｍ００１，Ｄｍ００２，…）および静止画像データ番号（例えば、Ｄｓ００１１，Ｄｓ００１２，Ｄｓ００２，…）が順番に記憶される（図７のＳＴ１０でＹＥＳ，ＳＴ１１）。
【００２８】
また、画像データ記憶制御手段（ＣＰＵ３１，ＲＯＭ３２）は、動画像データ番号に対応する動画像データを図３に示す画像データファイル４１Ｇの記憶エリア４１ＧＢに記憶（ＳＴ１２）し、静止画像データ番号に対応する静止画像データを記憶エリア４１ＧＦに記憶（ＳＴ１３）する。これらの各画像データは、商品に関するコマーシャルとされている。なお、商品には、販売中のもの，販売予定のものや他から依頼されたものも含む。この“もの”には、サービスも含む。
【００２９】
静止画像データは、例えば動画像データ番号“Ｄｍ００１”の動画像データ中に含まれる画像の中の予め選択された１または２以上の部分画像（例えば、動画像データ番号“Ｄｍ００１”の動画像データ中の静止画像でかつ静止画像データ番号“Ｄｓ００１１”，“Ｄｓ００１２”が付された静止画像データ）であり、動画像の切換表示進行に伴い同期切換表示可能である。
【００３０】
すなわち、外部｛（ストアコントローラ８０），ホストコンピュータ９０｝から配信されて来た切換表示手順データおよび画像データ（動画像データと静止画像データ）を、図１のインターフェイス（Ｉ／Ｆ）４４,データ通信回線網４５（９１）を介して受信（図７のＳＴ１０でＹＥＳ）すると、切替表示手順データ記憶制御手段（３１，３２）および画像データ記憶制御手段（３１，３２）が、図２のシーケンス（切換表示手順データ）ファイル４１Ｓおよび図３に示す画像データファイル４１Ｇの客用表示器６５用の記憶エリア４１ＧＢおよびオペレータ用表示器６１用の記憶エリア４１ＧＦにそれぞれ自動記憶する。
【００３１】
かくして、外部（８０，９０…上位機）から、各店舗，各ストアコントローラ８０乃至各電子キャッシュレジスタ１０に、最新でかつタイムリーな商品についてのコマーシャルを適時に更新することができるわけである。
【００３２】
なお、動画像データには、装置本体が商品販売データ中である場合に切換表示させる画像（例えば、“会計中の客に対するアピール度を高められる詳細な画像”）と,待機中の場合に表示する画像（例えば、“店内を闊歩する複数客にアピールし得る大きな画像”）との異なるものが含まれる。
【００３３】
これら画像データを各表示器６１，６５に表示させる画像表示制御装置５０は、この実施形態では、通常の商品販売データ処理中におけるＣＰＵ３１の低容量化および表示制御負荷を軽減可能に形成されている。つまり、動画像データおよび静止画像データを、画像表示制御装置５０（５３,５７）内に記憶保持させかつ切換表示動作可能に形成してある。
【００３４】
すなわち、画像表示制御装置５０は、図４に示す如く、第１の表示制御回路５１と第２の表示制御回路５５と切換器６７とダイジェスト作成器６８と画像合成器６９とから構成されている。
【００３５】
第１の表示制御回路５１は、ＰＣＩバスを介して転送されて来た商品販売データをメモリ５３に記憶する。また、ＶＧＡ回路５２は、メモリ５３から読み出した商品販売データをデジタル信号Ｓｄおよびアナログ信号Ｓａとして、出力可能に形成されている。
【００３６】
デジタル信号Ｓｄをオペレータ用表示器６１に出力させる意味は、図１１に示す如く文字情報が多い商品販売データ（例えば、商品名，単価，個数，合計金額等）やその他の文字情報（例えば、客用表示器６５には表示させない“操作ガイダンス”等。）をより鮮明に表示させることにより、オペレータの黙読および操作を容易化するためである。
【００３７】
他方、アナログ信号Ｓａを客用表示器６５に出力させる意味は、動画像データ（Ｓｄｍ）を変換したアナログの動画像データ（Ｓａｐ）と商品販売データ（Ｓａ）やその他の文字情報との併表示（図１０を参照）を容易化するためである。なお、上記の商品選択ボタン（図示省略）やその他の情報（“操作ガイダンス”）は、商品販売データと同様に取り扱われる。つまり、第１の表示制御回路５１で表示制御される。
【００３８】
また、第２の表示制御回路５５は、ＩＳＡバスを介して転送されて来た画像データ（動画像データ）をメモリ５７に記憶する。この画像データは、圧縮されたＭＰＥＧ（Ｍｏｖｉｎｇ  Ｐｉｃｔｕｒｅ  ｃｏｄｉｎｇ  Ｅｘｐｅｒｔｓ  Ｇｒｏｕｐ）方式で、カラー動画像蓄積用符号化データとオーディオ（音）符号化データを含む。
【００３９】
ＭＰＥＧ回路５６は、メモリ５７から読み出した圧縮画像データ（カラー動画像データ）を解凍してメモリ５８に格納するとともに、シーケンスファイル４１Ｓに記憶された手順にしたがって動画像データＳｄｍをデジタル／アナログ変換器（Ｄ／Ａ）５９に出力する（図９のＳＴ４０〜ＳＴ４２）。また、メモリ５７から読み出した圧縮画像データ（カラー静止画像データ）を解凍してメモリ５８に格納するとともに、シーケンスファイル４１Ｓに記憶された手順にしたがって静止画像データＳｄｓをダイジェスト作成器６８に出力する（ＳＴ４３，ＳＴ４４）。
【００４０】
切換器６７は、切換信号Ｓｃによって、変換後のアナログ信号Ｓａｐ（動画像データ）のみ、第１の表示制御回路５１からのアナログ信号Ｓａ（商品販売データ）のみ、および両者Ｓａｐ，Ｓａの３通りを選択的に切り換えて客用表示器６５に出力することができる。
【００４１】
ダイジェスト作成器６８は、予め選択された１または２以上の静止画像データＳｄｓでかつＭＰＥＧ回路５６側から入力された元静止画像を縮小した静止画像（Ｓｄｓ）つまりダイジェストを作成する。
【００４２】
画像合成器６９は、ＶＧＡ回路５２側から入力された商品販売データ（Ｓｄ）と，ダイジェスト作成器６８側から入力された静止画像データ（Ｓｄｓ）とを合成する。例えば図１１に示す如く、オペレータ用表示器６１の表示領域６１Ａ１，６１Ａ２に商品販売データ等を表示させ、かつ表示領域６１Ａ３にダイジェスト（静止画像）を表示可能に画像合成する。
【００４３】
この際の客用表示器６５に表示される画像は、例えば図１０に示す如く、表示領域６５Ａ１の動画像および表示領域６５Ａ２の商品販売データである。表示領域６５Ａ１に表示される動画像Ｇ１，Ｇ２は、例えばテレビコマーシャルと同じ“女優が商品を利用している一連動作画像”（Ｇ１）と，例えば“当該商品の製造工程を紹介する一連動作画像”（Ｇ２）とである。また、この実施形態では、当該商品の“見出し文字情報”（Ｃ１）および当該商品の“効能書き”（Ｃ２）も文字切換表示可能に形成されている。
【００４４】
この各画像Ｇ１，Ｇ２，Ｃ１およびＣ２のダイジェストを、図１１に示すオペレータ用表示器６１の表示領域６１Ａ３に同期切換表示させるわけである。したがって、オペレータは、客用表示器６５で現在流されている商品やその他の商品が何であるか等を明確に認識できるから、客に当該商品を積極的に勧めることができ、また客からの問合せにも迅速に応えられる。
【００４５】
画像切換表示制御手段（ＣＰＵ３１，ＲＯＭ３２）は、モードスイッチを用いて選択された商品販売データ処理（商品登録，会計処理等）の実行中（図８のＳＴ２０でＹＥＳ）は、シーケンスファイル４１Ｓから切換表示手順データを読込み（ＳＴ２１）、画像表示制御装置５０を構成する第１の表示制御回路５１（メモリ５３）および第２の表示制御回路５５（メモリ５７）に書き込む。この際の画像データは、キーボード４３を用いた表示選択設定態様によって異なる。
【００４６】
すなわち、併表示が選択されている場合（ＳＴ２２のＹＥＳ）はコマーシャル（１）および商品販売データであり（ＳＴ２３，ＳＴ２４）、画像のみの表示が選択されている場合（ＳＴ２５のＹＥＳ）はコマーシャル（１）であり（ＳＴ２６）、商品販売データのみの表示が選択されている場合（ＳＴ２５のＮＯ）は商品販売データのみ（ＳＴ２７）である。
【００４７】
いずれの場合でも、オペレータ用表示器６１にダイジェストを同期切換表示すべき指令を記憶（ＳＴ３０）する。この書き込み終了で、制御部（３０）は画像データについての各表示器６１，６５に対する表示制御負荷は解放され、商品販売データ処理に専念できる。
【００４８】
なお、処理中でないつまり待機中（ＳＴ２０のＮＯ）は、コマーシャル（２）である（ＳＴ２８，ＳＴ２９）。例えば、図１２に示す全画面６５Ａに大きく表示される。
【００４９】
かかる実施形態では、外部（８０，９０）から商品のコマーシャル（１）を形成する複数の画像データと切換表示手順データとを受信（図７のＳＴ１０ＤＥＹＥＳ）すると、これらをシーケンスファイル４１Ｓ，画像データファイル４１Ｇに記憶する（ＳＴ１１〜ＳＴ１３）。
【００５０】
画像表示制御装置５０は、客用表示器６５に動画像｛コマーシャル（１）｝を切換表示させ、オペレータ用表示器６１にダイジェスト（静止画像）を同期切換表示させる。
【００５１】
すなわち、客用表示器６５に動画像なる商品コマーシャル（１）と商品販売データとを切換表示しかつオペレータ用表示器６１に商品販売データおよび静止画像たるダイジェストを同期切換表示するものと選択されていたとすると、第２の表示制御回路５５のＭＰＥＧ回路５６は、メモリ５７に書き込まれた動画像データを解凍してメモリ５８に記憶しつつ、動画像をデジタル信号Ｓｄｍとしてデジタル／アナログ変換器５９に出力するとともに、静止画像をデジタル信号Ｓｄｓとしてダイジェスト作成器６８に出力する。
【００５２】
デジタル／アナログ変換器５９から変換出力されたアナログ信号Ｓａｐは、切換器６７を介して客用表示器６５に出力され、図１０に示す如くカラー動画像“Ｇ１，Ｇ２，Ｃ１，Ｃ２”つまり商品コマーシャル（１）を当該客用表示器６５に切換表示することができる。この際、音声出力手段７０から動画像に同期した音声信号Ｓｖに基づく音声（音楽,ナレータ等）が出力される。したがって、テレビコマーシャルの如く客に強烈に商品アピールできる。表示時間も長くできる。
【００５３】
一方、ダイジェスト作成器６８は、入力されたデジタル信号（静止画像データ）Ｓｄｓを縮小したダイジェスト（静止画像）を作成して、画像合成器６９に出力する。かくして、オペレータ用表示器６１の図１１に示す表示領域６１Ａ３にコマーシャル（１）すなわち、図１０の動画像（Ｇ１,Ｇ２,Ｃ１,Ｃ２）に対応する静止画像（Ｇ１ｄ,Ｇ２ｄ,Ｃ１ｄ,Ｃ２ｄ）を同期切換表示させることができる。
【００５４】
また、オペレータ用表示器６１の図１１に示す表示領域６１Ａ１には商品販売データ（商品名，単価，金額，税）が表示され、かつ表示領域６１Ａ２には商品販売データ（合計，お預り，お釣り）が表示される。
【００５５】
なお、６１Ｓは、商品販売データ（商品名，単価，金額，税）のスクロール用スイッチである。登録商品数が多くてもその全商品について表示確認することができる。
【００５６】
そして、記憶された画像データ（動画像データ）を当該切換表示手順データに基づき客用表示器６５に動画像として切換表示（図８のＳＴ２２）するとともに、記憶された画像データ（静止画像…ダイジェスト）を当該切換表示手順データに基づき客用表示器６５に切換表示されている動画像に同期させて切換表示（ＳＴ３０）する。
【００５７】
すなわち、商品に関する複数の画像（例えば、商品Ａ，Ｂ，Ｃに関するアピール画像）を動画像として切換え表示することができる。つまり、買物実績のある客に各商品コマーシャルを客用表示器６５を介して対面表示できるから当該客へのアピール度を強化できる。また、オペレータ用表示器６１には、客用表示器６５に表示されている各画像と等しくかつ縮小されたダイジェストとして静止画像が同期切換え表示される。したがって、オペレータは、客が現時点に見ている画像つまり商品に関するアピール内容を確実に認識することができるから、オペレータ側から当該客に当該商品について積極的に説明したり、客からの問いに迅速かつ正確に応答することができる。
【００５８】
しかも、画像データは外部（８０，９０）から配信されて来るので、固定的でなく最新でかつタイムリーなコマーシャルを流す（表示）することができるから、客へのアピールをより大幅に強化できかつ当該商品の購入意欲を一段と惹起せしめることができるとともに、オペレータにおいても当該商品の説明を行ない易くかつ勧め易いので販売促進に極めて有効である。
【００５９】
なお、商品販売データ処理が行なわれない場合つまり待機中は、客用表示器６５に図１２に示すように画面一杯のコマーシャル（２）が大きく表示される。
【００６０】
【発明の効果】
請求項１の発明によれば、外部から配信されて来た商品のコマーシャルを形成する複数の画像データと切換表示手順データとを記憶可能であるとともに、当該コマーシャルをオペレータ用表示器および客用表示器のいずれか一方に切換表示可能かつその他方に当該画像を同期切換表示可能に形成された商品販売データ処理装置であるから、買物実績のある客に各商品コマーシャル等を客用表示器を介して対面表示できるから当該客へのアピール度を強化できる。また、オペレータは、客が現時点に見ている画像つまり商品に関するアピール内容を確実に認識することができるから、オペレータ側から当該客に当該商品について積極的に説明したり、客からの問いに迅速かつ正確に応答することができる。しかも、画像データは外部から配信されて来るので、固定的でなく最新でかつタイムリーなコマーシャルを表示することができるから、客へのアピールをより大幅に強化できかつ当該商品の購入意欲を一段と惹起せしめることができるとともに、オペレータにおいても当該商品の説明を行ない易くかつ勧め易いので販売促進に極めて有効である。
【００６１】
また、客用表示器に動画像を切換表示可能かつオペレータ用表示器に静止画像を前記客用表示器に切換表示されている当該動画像に同期させて切換表示可能に形成されているので、請求項１の発明の場合と同様な効果を奏することができることに加え、さらに客に対する表示が動画像であるからアピール度をより強化でき、オペレータに対する表示は当該静止画像であるから一見して認識できるとともに、オペレータ用表示器への表示に関する制御部および切換表示装置の低容量化および表示制御負荷を軽減できる。
【００６２】
請求項２の発明によれば、動画像データおよび静止画像データを別個のファイルに記憶可能に形成されているので、請求項１の発明の場合と同様な効果を奏することができることに加え、さらに客用表示器およびオペレータ用表示器に対する動画像および静止画像の切替表示制御が容易であるとともに、静止画像の当該動画像に対する同期性を簡単に維持することができる。
【００６３】
請求項３の発明によれば、静止画像が当該動画像中に含まれる部分画像のダイジェストとされているので、請求項１および請求項２の各発明の場合と同様な効果を奏することができることに加え、さらにオペレータ用表示器にはダイジェストが表示されるので、オペレータがそれを疲れなく正確に認識することができる。また、商品販売データの表示やオペレータの操作業務にも支障が生じない。
【図面の簡単な説明】
【図１】  本発明の第１の実施形態を示すブロック図である。
【図２】  同じく、シーケンスファイルを説明するための図である。
【図３】  同じく、画像データファイルを説明するための図である。
【図４】  同じく、画像表示制御装置を説明するための回路図である。
【図５】  同じく、オペレータ用表示器側から見た電子キャッシュレジスタの外観斜視図である。
【図６】  同じく、客用表示器側から見た電子キャッシュレジスタの外観斜視図である。
【図７】  同じく、切換表示手順および画像データの記憶動作を説明するためのフローチャートである。
【図８】  同じく、切換表示制御動作を説明するためのフローチャートである。
【図９】  同じく、切換表示動作を説明するためのフローチャートである
【図１０】  同じく、客用表示器の動画像表示態様を説明するための図である。
【図１１】  同じく、オペレータ用表示器の静止画像表示態様を説明するための図である。
【図１２】  同じく、客用表示器の動画像拡大表示態様を説明するための図である。
【符号の説明】
１０  電子キャッシュレジスタ（商品販売データ処理装置）
２０  パソコン
３０  マザーボード
４１  ＨＤＤ
４１Ｓ  シーケンスファイル
４１Ｇ  画像データファイル
４１ＧＢ  客用表示器用の記憶エリア（動画像ファイル）
４１ＧＦ  オペレータ用表示器用の記憶エリア（静止画像ファイル）
４３  キーボード
５０  画像表示制御装置
５１  第１の表示制御回路
５２  ＶＧＡ回路
５３  メモリ
５５  第２の表示制御回路
５６  ＭＰＥＧ回路
５７  メモリ
５８  メモリ
５９  デジタル／アナログ変換器
６０  表示器
６１  オペレータ用表示器
６２  タッチパネル
６５  客用表示器
６６  タッチパネル
６７  切換器
６８  ダイジェスト作成器
６９  画像合成器
７０  音声出力手段
７１  スキャナ
７５  プリンタ
８０  ストアコントローラ（外部）
９０  ホストコンピュータ（外部）
【図１】
0003942291.tif 000002
【図２】
0003942291.tif 000003
【図３】
0003942291.tif 000004
【図４】
0003942291.tif 000005
【図５】
0003942291.tif 000006
【図６】
0003942291.tif 000007
【図７】
0003942291.tif 000008
【図８】
0003942291.tif 000009
【図９】
0003942291.tif 000010
【図１０】
0003942291.tif 000011
【図１１】
0003942291.tif 000012
【図１２】
0003942291.tif 000013